(57)【特許請求の範囲】
【請求項１】
外郭を構成する本体と、前記本体の上面を覆い前記本体に固定されるトップユニット部とを備え、前記トップユニット部は、平板状のトッププレートと、前記トッププレートを載置し前記トッププレートの外周部を全周接着して保持する保持部材と、前記保持部材の前辺部の下面に接する取り付け面を有し前記保持部材に固定されかつ前記取り付け面に対して垂直に下方に折り曲げられた部分が前記本体と前方で係合するフック部とを備え、前記フック部は前記取り付け面が前記保持部材のコーナー部まで延長されて前記コーナー部の下面に接する延長部分を有し、前記延長部分が前記トッププレートの下方で前記コーナー部の下面を支える組込式調理器。
【請求項２】
取り付け面に、強度を向上するための絞り形状を設けた請求項１に記載の組込式調理器。
【請求項３】
取り付け面を保持部材に接着固定した請求項１または２に記載の組込式調理器。
【発明の詳細な説明】
【技術分野】
【０００１】
本発明は、一般家庭のキッチンで使用する組込式調理器に関し、特にトップユニット部の構成に関するものである。
【背景技術】
【０００２】
従来、この種の組込式調理器は、図４に示すように、１は外郭本体であり、内部に加熱コイルや冷却用のファンモーター、制御基板等（図示せず）を有し、２はトップユニット部で外郭本体１を上方から覆う。トップユニット部２は保持部材３と、それに載置され全周を接着剤で接着されるトッププレート４と、トッププレート４の上方より外周を覆う枠体５とより構成されている。６は保持部材３の前辺部に下方よりビスＡ７で固定されるフック部でトップユニット部２が外郭本体１にセットされた後、前方よりビスＢ８にて固定される。さらにトップユニット部２は保持部材３と枠体５に設けられた穴部を介してビスＣ９にて外郭本体１に固定されている。そして冷却用の大気を吸い込む吸気孔１０等を覆う吸排気パネル１１を有している（例えば、特許文献１参照）。
【特許文献１】特開２００５−４２９８４号公報
【発明の開示】
【発明が解決しようとする課題】
【０００３】
しかしながら、前記従来の構成では、トッププレートのコーナー部に、設置工事時に応力がかかった場合、強度的に脆弱で、最悪の場合にはトッププレートが割れてしまうという課題を有していた。
【０００４】
本発明は、前記従来の課題を解決するもので、設置工事時等にトッププレートのコーナー部に応力がかかった場合でも強固な構成により、割れ等の可能性を著しく低くし、安全で設置工事性のよい組込式調理器を提供することを目的とする。
【課題を解決するための手段】
【０００５】
前記従来の課題を解決するために、本発明の組込式調理器は、外郭を構成する本体と、前記本体の上面を覆い前記本体に固定されるトップユニット部とを備え、前記トップユニット部は、平板状のトッププレートと、前記トッププレートを載置し前記トッププレートの外周部を全周接着して保持する保持部材と、前記保持部材の前辺部の下面に接する取り付け面を有し前記保持部材に固定されかつ前記取り付け面に対して垂直に下方に折り曲げられた部分が前記本体と前方で係合するフック部とを備え、前記フック部は前記取り付け面が前記保持部材のコーナー部まで延長されて前記コーナー部の下面に接する延長部分を有し、前記延長部分が前記トッププレートの下方で前記コーナー部の下面を支えるものである。
【０００６】
これによって、設置工事時等にトッププレートのコーナー部に応力がかかった場合でもフック部の延長部分がトッププレートの下方を保持部材とともに支えることとなり、強固な構成になることにより割れ等の可能性を著しく低くし、安全で設置工事性のよい組込式調理器を提供することができるものである。
【０００７】
また、本発明の組込式調理器は、取り付け面に、強度を向上するための絞り形状を設けたものである。
【０００８】
これによって、強度はさらに向上し、設置工事性と安全性のさらなる向上が図れるものである。
【０００９】
また、本発明の組込式調理器は、フック部の取り付け面を保持部材に接着固定したものである。
【００１０】
これによって保持部材とフック部の取り付けはビスを使用することなく行え、作業性の向上が図れるものである。
【００１１】
また、本発明の組込式調理器は、取り付け面端部と、保持部材に設けた切り起こし部を係合させたものである。
【００１２】
これによって、保持部材とフック部の取り付けは、セット位置が容易に決まり、作業性の向上が図れるものである。
【発明の効果】
【００１３】
本発明の組込式調理器は、設置工事時等にトッププレートのコーナー部に応力がかかった場合でもフック部の延長部分がトッププレートの下方を保持部材とともに支えることとなり、強固な構成になることにより割れ等の可能性を著しく低くし、安全で設置工事性のよい組込式調理器を提供することができるものである。
【００１４】
なお、トッププレートのサイズが大きい（通常６００ｍｍであるが、近年７５０ｍｍのものも増加してきており、筐体サイズは同一のためにトッププレートコーナー部にかかるモーメントは増加することとなる）場合には、さらに効果が得られる。
【発明を実施するための最良の形態】
【００１５】
第１の発明は、外郭を構成する本体と、前記本体の上面を覆い前記本体に固定されるトップユニット部とを備え、前記トップユニット部は、平板状のトッププレートと、前記トッププレートを載置し前記トッププレートの外周部を全周接着して保持する保持部材と、前記保持部材の前辺部の下面に接する取り付け面を有し前記保持部材に固定されかつ前記取り付け面に対して垂直に下方に折り曲げられた部分が前記本体と前方で係合するフック部とを備え、前記フック部は前記取り付け面を前記保持部材のコーナー部まで延長されて前記保持部材のコーナー部の下面に接する延長部分を有し、前記延長部分が前記トッププレートの下方で前記コーナー部の下面を支えることにより、設置工事時等にトッププレートのコーナー部に応力がかかった場合でもフック部の延長部分がトッププレートの下方を保持部材とともに支えることとなり、強固な構成になることにより割れ等の可能性を著しく低くし、安全で設置工事性のよい組込式調理器を提供することができるものである。
【００１６】
第２の発明は、フック部の取り付け面に、強度を向上するための絞り形状を設けたもの
である。
【００１７】
これによって、強度はさらに向上し、設置工事性と安全性のさらなる向上が図れるものである。
【００１８】
第３の発明は、フック部の取り付け面を保持部材に接着固定したことにより、保持部材とフック部の取り付けはビスを使用することなく行え、作業性の向上が図れるものである。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における組込式調理器の要部斜視図を示すものである。なお、調理器の全体図は、従来例（図４）とほぼ同一のため省略する。
【００２２】
図１において、フック部２１の取り付け面２２は、トッププレートを保持する保持部材２３のコーナー部２４まで延長され、ビスで固定される。
【００２３】
以上のように構成された組込式調理器について、その動作、作用を説明する。
【００２４】
設置工事時等にトッププレートのコーナー部に応力がかかった場合には、フック部２１の取り付け面２２の延長部分がトッププレートの下方を保持部材２３とともに支えることとなり、強固な構成になることにより割れ等の可能性を著しく低くし、安全で設置工事性のよい組込式調理器を提供することができるものである。
【００２５】
以上のように、本実施の形態においては、フック部２１の取り付け面２２を保持部材２３のコーナー部２４近傍まで延長したことにより、設置工事時等にトッププレートのコーナー部に応力がかかった場合でも、フック部２１の延長部分がトッププレートの下方を保持部材２３とともに支えることとなり、強固な構成になることにより割れ等の可能性を著しく低くし、安全で設置工事性のよい組込式調理器を提供することができる。
【００２６】
（実施の形態２）
図２は、本発明の第２の実施の形態の組込式調理器の斜視図である。
【００２７】
図２において、フック部３１の取り付け面３２には、絞りリブ３３を設けている。
【００２８】
以上のように本実施の形態においては、強度はさらに向上し、設置工事性と安全性のさらなる向上が図れるものである。
【００２９】
また、取り付け面３２に接着剤を塗布し保持部材に接着すれば、保持部材とフック部の取り付けはビスを使用することなく行え、作業性の向上が図れるものである。
【００３０】
（実施の形態３）
図３は、本発明の第３の実施の形態の組込式調理器の要部断面図である。
【００３１】
図３において、保持部材４１に切り起こし部４２を設け、フック部４３の取り付け面端部４４を係合させている。
【００３２】
以上のように本実施の形態においては、保持部材４１とフック部４３の取り付けは、セット位置が容易に決まり、作業性の向上が図れるものである。
【図面の簡単な説明】
【００３３】
【図１】本発明の第１の実施の形態における組込式調理器の要部斜視図
【図２】本発明の第２の実施の形態における組込式調理器の要部斜視図
【図３】本発明の第３の実施の形態における組込式調理器の要部断面図
【図４】従来の組込式調理器の要部分解斜視図
【符号の説明】
【００３４】
２１、３１、４３  フック部
２２、３２  取り付け面
２３、４１  保持部材
２４  コーナー部
３３  絞りリブ
４２  切り起こし部
４４  取り付け面端部
【図１】
0004259487.tif 000002
【図２】
0004259487.tif 000003
【図３】
0004259487.tif 000004
【図４】
0004259487.tif 000005